(57)【特許請求の範囲】
【請求項１】
車室内において左右の側壁を構成するピラー間に橋架されることにより該車室内を前方の乗員室と後方の荷物室とに仕切るセパレータ部材の取付構造であって、
前記セパレータ部材は、車両幅方向に延びる棒状のセパレート部と、そのセパレート部の両側に設けられ、前記セパレート部に対し、車両前方に向かって鈍角傾斜するように湾曲する湾曲部を有する湾曲部材と、それらの湾曲部材の端部に設けられた係合雄端部とを備え、車両幅方向の長さ調整が可能な構成であり、
前記係合雄端部は、前記湾曲部材の軸方向に対して直角な直交面を含む軸方向端部と、車両前方向に対して直角な直交面を含む前側端部と、車両後方に位置する後側端部とが、滑らかに連なり、曲面形状をなす外周面を有するように構成されており、
前記セパレータ部材が橋架される前記車室内の前記左右のピラーには、嵌合凹部を有する係合雌部材がそれらのピラーに対して接面支持された状態で配設されており、
さらに、前記係合雌部材の嵌合凹部の底部分は所定の厚みを有する内底部となっており、
前記セパレータ部材の湾曲部材の係合雄端部が前記係合雌部材の嵌合凹部に嵌め込まれて、その係合雄端部の外周面が前記係合雌部材の嵌合凹部に面接触した状態で、前記係合雄端部と係合雌部材とが係合される構成であり、
前記セパレータ部材のセパレート部が後方の前記荷物室から前方の前記乗員室に向けて受ける荷重は、前記セパレータ部材の湾曲部材により軸方向の力に変換されて、前記係合雄端部から前記係合雌部材の内底部を介して前記ピラーに伝えられることを特徴とするセパレータ部材の取付構造。
【発明の詳細な説明】
【技術分野】
【０００１】
本発明は、車室内の左右側壁間に橋架されることにより前方の乗員室と後方の荷物室とに車室内を仕切るセパレータ部材の取付構造に関する。
【背景技術】
【０００２】
従来、ワンボックスタイプに代表される自動車にあっては、車室内を乗員室と荷物室とに仕切るために、車室内の左右側壁間にセパレータバー（セパレート部材）が橋架されている（例えば、特許文献１参照）。このようなセパレータバーは、車室内の仕切りたい位置に応じて位置を変更することができるように構成されている。具体的には、セパレータバーは、全体としては略棒状に形成される。またセパレータバーの両端部は、車室内に設置されるブラケット部に嵌め合い可能に構成される。これに対し、車室内の適宜位置には、このセパレータバー両端部を嵌め合わせて取り付けるためのブラケット部が複数設置されている。なお、セパレータバー両端部とブラケット部とは、互いに嵌め合うことにより取付け可能な嵌合構造を有するプラスチック樹脂の成形品にて構成される。
【先行技術文献】
【特許文献】
【０００３】
【特許文献１】特開２００５−２３８９８４
【発明の概要】
【発明が解決しようとする課題】
【０００４】
一方、荷物室に積載される荷物は、上記したセパレータバーに対して乗員室にむけて荷重をかけることがある。このようにかけられる荷重の応力は、このセパレータバーが取り付けられるブラケット部に対して集中し易い。
他方、近年、上記しようなワンボックス型の自動車にあっては、荷物室の積載可能重量を増量する傾向にあり、上記した取付部分（ブラケット部）の耐荷重性能を強化しておきたいという要請がある。
【０００５】
本発明は、このような事情に鑑みなされたものであって、本発明が解決しようとする課題は、車室内の左右側壁間に橋架されることにより前方の乗員室と後方の荷物室とに該車室内を仕切るセパレータ部材の取付構造において、このセパレータ部材の取付部分の耐荷重性能を強化することにある。
【課題を解決するための手段】
【０００６】
上記課題を解決するため本発明に係るセパレータ部材の取付構造は、次の手段を採用する。
すなわち、本発明の第１の発明に係るセパレータ部材の取付構造は、車室内において左右の側壁を構成するピラー間に橋架されることにより該車室内を前方の乗員室と後方の荷物室とに仕切るセパレータ部材の取付構造であって、前記セパレータ部材は、車両幅方向に延びる棒状のセパレート部と、そのセパレート部の両側に設けられ、前記セパレート部に対し、車両前方に向かって鈍角傾斜するように湾曲する湾曲部を有する湾曲部材と、それらの湾曲部材の端部に設けられた係合雄端部とを備え、車両幅方向の長さ調整が可能な構成であり、前記係合雄端部は、前記湾曲部材の軸方向に対して直角な直交面を含む軸方向端部と、車両前方向に対して直角な直交面を含む前側端部と、車両後方に位置する後側端部とが、滑らかに連なり、曲面形状をなす外周面を有するように構成されており、前記セパレータ部材が橋架される前記車室内の前記左右のピラーには、嵌合凹部を有する係合雌部材がそれらのピラーに対して接面支持された状態で配設されており、さらに、前記係合雌部材の嵌合凹部の底部分は所定の厚みを有する内底部となっており、前記セパレータ部材の湾曲部材の係合雄端部が前記係合雌部材の嵌合凹部に嵌め込まれて、その係合雄端部の外周面が前記係合雌部材の嵌合凹部に面接触した状態で、前記係合雄端部と係合雌部材とが係合される構成であり、前記セパレータ部材のセパレート部が後方の前記荷物室から前方の前記乗員室に向けて受ける荷重は、前記セパレータ部材の湾曲部材により軸方向の力に変換されて、前記係合雄端部から前記係合雌部材の内底部を介して前記ピラーに伝えられることを特徴とする。
【０００７】
この第１の発明に係るセパレータ部材の取付構造によれば、セパレータ部材のセパレート部が後方の荷物室から前方の乗員室に向けて受ける荷重は、セパレート部から係合雄端部に向かうようにセパレータ部材の湾曲部材により軸方向の力に変換されて、この力が係合雄端部から係合雌部材に伝えられる。これによって、係合雌部材は、係合雄端部からセパレータ部材の湾曲部材の軸方向に沿って伝わってきた力の多くを、この軸方向延長上に存する内底部にて受けることとなる。この際、この係合雌部材の内底部は、所定の厚みを有して形成されており、係合雌部材のうち十分に強度の高い部分となっているので、係合雄端部から伝わってきた力を受けるに際して最も有利な部分で力を受けることとなる。
即ち、係合雌部材は、係合雄端部から伝えられた力を効率良く受けることができ、この力を前記内底部を介してピラーに逃がせるようになる。
また、セパレータ部材の係合雄端部の外周面が前記係合雌部材の嵌合凹部に面接触した状態で、前記係合雄端部と係合雌部材とが係合されるため、前記係合雄端部から係合雌部材に対して力が伝わる際に、その力を分散した状態で係合雌部材に伝達できるようになる。これにより、係合雌部材と係合雌部材との係合部分の耐荷重性能を強化することができる。
【発明の効果】
【００１１】
本発明に係るセパレータ部材の取付構造によれば、係合雄端部から伝わってきた力をセパレータ部材の取付部分で効率良く受けることができ、セパレータ部材の取付部分の耐荷重性能を強化することができる。
【図面の簡単な説明】
【００１２】
【図１】車室内にセパレータバーが取り付けられている自動車を模式的に示す上面視図および側面視図である。
【図２】第１の実施の形態のセパレータバーの取付構造についての上面視図である。
【図３】図２のセパレータバーの取付構造についての斜視図である。
【図４】図２のセパレータバーの取付構造について拡大して示す上面視図である。
【図５】第２の実施の形態のセパレータバーの取付構造についての上面視図である。
【図６】図５のセパレータバーの取付構造についての斜視図である。
【発明を実施するための形態】
【００１３】
［第１の実施の形態］
以下、本発明に係るセパレータ部材の取付構造を実施するための最良の形態の一つである第１の実施の形態について図面を参照しながら説明する。
図１（Ａ）は、自動車１０の車室１１内を模式的に示す上面視図である。図１（Ｂ）は、自動車１０の車室１１内を模式的に示す側面視図である。なお、図１（Ａ）は車室１１内が見え易いように天井部分を省略して示しており、図１（Ｂ）は車室１１内が見え易いようにドア部分を省略して示している。
図１（Ａ）および図１（Ｂ）に示す自動車１０は、ワンボックスタイプの自動車である。この自動車１０の車室１１内には、前方に運転席を含む乗員室１１１で設定されており、後方に荷物を積載する荷物室１１２で設定されている。ここで、自動車１０の車室１１内の左右側には、本発明に係る左右側壁としてのピラー１２１，１２１が設けられている。このピラー１２１（１２）は、この自動車１０のフレームとして機能する所謂Ｂピラーと称される部分であり、自動車１０の剛性を確保するように機能する。
この車室１１内には、この車室１１内を仕切る本発明に係るセパレータ部材としてのセパレータバー２０が設置されている。このセパレータバー２０は、上記したピラー１２１，１２１間に橋架されることにより前方の乗員室１１１と後方の荷物室１１２とに、車室１１内を仕切るものである。つまり、この自動車１０の車室１１内は、設置されるセパレータバー２０により前側が乗員室１１１として設定されるものとなっており、設置されるセパレータバー２０により後側が荷物室１１２として設定されるものとなっている。
なお、図示する自動車の車室１１内には前席１３１と後席１３２との４つの座席が設置されている。この４つの座席のうち後席１３２は、前席１３１のような固定座席とは異なり、図１（Ｂ）の想像線（２点鎖線）にて示すように折畳み座席として構成される座席である。具体的には、図１（Ｂ）に示す想像線（２点鎖線）のように車室１１前方に折り畳むことができるようになっている。このように後席１３２を折り畳んだ状態とすると、設置されるセパレータバー２０により、後席１３２側を荷物室１１２として機能するようにすることができる。
【００１４】
次に、上記したセパレータバー２０の取付構造について、図面を参照しながら説明する。図２は、第１の実施の形態のセパレータバー２０の取付構造についての上面視図である。図３は、図２のセパレータバー２０の取付構造についての斜視図である。図４は図２のセパレータバー２０の取付構造について拡大して示す上面視図である。
セパレータバー２０は、図２および図３に示すように、略棒状に構成されるものであり、棒状のセパレータ本体２１と、このセパレータ本体２１の両端側に設けられる係合雄端部２５，２５とを備えて構成される。また、図２および図３では、セパレータバー２０の取付構造を詳細図示するため、セパレータバー２０の真ん中辺りの図示は省略されている。
セパレータ本体２１は、係合雄端部２５，２５の近くは曲げられる構造を有するものの、略棒状に構成されるものとなっている。このセパレータ本体２１は、設置された際の車両幅方向（車両左右方向）の長さを適宜調節することができるように伸縮構造を有している。具体的には、セパレータ本体２１は、概略、セパレータ本体２１の中間部を構成するセパレート部材２２と、係合雄端部２５，２５が具備される湾曲部材２３，２３とを備えた分割構造にて構成される。
セパレート部材２２は、本発明に係るセパレート部に相当する部分であり、中空構造を有する真っ直ぐな金属製筒（金属パイプ）にて構成されている。このセパレート部材２２は、車室１１内に設置した場合に、荷物室１１２に積載された荷物等によって、後方（荷物室１１２）から前方（乗員室１１１）に向かう荷重が加わる部分となっている。このセパレート部材２２の両端には、開口された開口部２２１，２２１が設けられいる。この開口部２２１，２２１には、次に説明する湾曲部材２３，２３の挿し込み部２３１，２３１を嵌め挿しすることができるようになっている。
湾曲部材２３は、挿し込み部２３１が上記したようにセパレート部材２２の開口部２２１に挿し込まれる部材である。この湾曲部材２３は、この挿し込み部２３１から適宜に曲げられて係合雄端部２５が設けられる中実構造を有するプラスチック樹脂成形品にて構成されている。この湾曲部材２３は、セパレート部材２２の開口部２２１に挿し込まれる側から順に、挿し込み部２３１、湾曲部２３２、係合雄端部２５を具備して構成される。なお、この湾曲部材２３のうち、挿し込み部２３１と、湾曲部２３２とは、上記したセパレート部材２２とともに、セパレータ本体２１を構成する部分となっている。
【００１５】
挿し込み部２３１は、上記したようにセパレート部材２２の開口部２２１に挿し込まれる部分である。このため、挿し込み部２３１の外径は、上記したセパレート部材２２の開口部２２１の内径に比して小さいものとなっており、上記したセパレート部材２２の真っ直ぐな筒形状に対応して真っ直ぐとなる中実構造にて形成される。図示するように、挿し込み部２３１は、殆どの部分がセパレート部材２２の開口部２２１の内部に挿し込まれた状態となっている。このため、このセパレート部材２２の開口部２２１に対する挿し込み部２３１の挿し込み量を変えることにより、セパレータ本体２１（セパレータバー２０）自体の長さを変えることができる。つまり、このセパレータバー２０は、図１に示すＢピラー１２１（１２），１２１（１２）に対してだけ取付可能とするだけではなく、この同一品で図１に示すＣピラー１２２（１２），１２２（１２）に対しても取付可能とすることができるものとなっている。なお、このようにセパレータバー２０をＣピラー１２２（１２），１２２（１２）に対して取り付けた場合には、自動車１０の車室１１内は、設置されるセパレータバー２０により前側となる後席１３２についても乗員室１１１として設定されるものとなっており、このセパレータバー２０により後側が荷物室１１２として設定されるものとなる。
湾曲部２３２は、本発明に係るセパレータ本体の曲げ構造に相当する部分である。この湾曲部２３２は、この湾曲部材２３のうち次に説明する係合雄端部２５の近くに形成される。この湾曲部２３２は、図４等に示すように、上記した車両幅方向（車両左右方向）に沿って延びるセパレート部材２２に対して、車両前方向に向かって鈍角で傾斜する方向（鈍角傾斜方向）に曲がることにより形成されている。つまり、セパレータ本体２１の軸方向は、セパレート部材２２においては車両幅方向（車両左右方向）となっており、この湾曲部２３２から車室１１外側部分（係合雄端部２５）にかけては車両幅方向（車両左右方向）から前方に鈍角傾斜した方向に向くようになっている。これによって、後にも説明するが、セパレート部材２２が後方の荷物室１１２から前方の乗員室１１１に向かうように荷重を受けた場合には、この湾曲部２３２によって車両幅方向（車両左右方向）から車両前方向に向かって鈍角傾斜する方向（係合雄端部２５に向かう方向）となるセパレータ本体２１の軸方向に力を変換することができる。なお、後に詳述するが、このように変換されたセパレータ本体２１の軸方向の力は、係合雄端部２５から係合雌部材３０に力を伝えることとなっている。
【００１６】
次に、湾曲部材２３の端部として形成される係合雄端部２５について、図２を拡大しして示す図４を参照しながら説明する。なお、図４は、セパレータバー２０の係合雄端部２５が後に説明する係合雌部材３０に嵌め込むことにより係合している状態を示している。これに対して図３は、セパレータバー２０の係合雄端部２５が係合雌部材３０に嵌め込む前の状態を示している。つまり、セパレータバー２０の係合雄端部２５を図３に示す矢印方向に動かした場合には、この係合雄端部２５は係合雌部材３０に嵌め込んで係合した状態となり、図４に示すような上面視状態となる。
この係合雄端部２５の形状としては、図３等に示すように、上記した湾曲部材２３の挿し込み部２３１や湾曲部２３２の外径に比して、膨張した外径を有して形成されている。すなわち、図４に示すように上面視した場合の係合雄端部２５は、後方に爪先側を突き出すような長靴形状にて形成され、図３に示すように斜視した場合の係合雄端部２５は、端部外周面が曲面形状をなす変形球形状を有して形成されている。つまり、係合雄端部２５は、長靴形状の底位置に相当する軸方向端部２５１と、長靴形状のかかと位置に相当する前側端部２５２と、長靴形状の爪先位置に相当する後側端部２５３とを備えて構成される。なお、軸方向端部２５１と、前側端部２５２と、後側端部２５３とは、滑らかに連なり曲面形状をなす外周面２６を有するように形成されている。なお、この外周面２６は、係合雄端部２５を後に説明する係合雌部材３０に設けられる嵌合凹部３１に嵌合させた場合に、この嵌合凹部３１の内周面と曲面同士で面接触する部分である。
より詳しく説明すると、係合雄端部２５の軸方向端部２５１は、車両幅方向（車両左右方向）から車両前方向に向かって鈍角傾斜する方向と直交する直交面を含むように形成されるものである。この係合雄端部２５の軸方向端部２５１は、嵌合凹部３１の内周面と面接触し、上記したように変換されたセパレータ本体２１の軸方向の力のうち、このセパレータ本体２１の軸方向の成分を係合雌部材３０に伝える。
係合雄端部２５の前側端部２５２は、車両前方向と直交する直交面を含むように形成されるものである。この係合雄端部２５の前側端部２５２は、嵌合凹部３１の内周面と面接触し、上記したように変換されたセパレータ本体２１の軸方向の力のうち、このセパレータ本体２１の車両前方向の成分を係合雌部材３０に伝える。
係合雄端部２５の後側端部２５３は、上記したように外方に膨張した形状を有して形成されるものである。これにより、この係合雄端部２５は、この後側端部２５３の膨張した形状により、上記した湾曲部材２３の挿し込み部２３１や湾曲部２３２の外径に比して、膨張した外径を有することとなる。もって、後に説明する係合雌部材３０に設けられる嵌合凹部３１に嵌合させた場合に、係合雄端部２５が嵌合凹部３１に対して引っ掛かるように嵌合することができ、この係合雄端部２５の嵌合凹部３１（係合雌部材３０）に対する抜け止めを規制することができ、もって係合雄端部２５を係合雌部材３０に係合させた状態とする。
【００１７】
次に、上記したセパレータバー２０の係合雄端部２５が嵌め合わされることにより係合しセパレータバー２０を支持する係合雌部材３０について説明する。
図１に示す車室１１内のピラー１２１，１２１（左右側壁）のそれぞれには、セパレータバー２０を橋架するために、図２に示す係合雌部材３０，３０がピラー１２１，１２１に接面支持された状態で配設されている。この係合雌部材３０は、プラスチック樹脂成形品にて構成される所謂ブラケット部材であり、上記したセパレータバー２０の係合雄端部２５が嵌合する嵌合凹部３１が設けられるものである。このため、この係合雌部材３０，３０は、不図示の螺子部材を介して車室１１内のピラー１２１，１２１のそれぞれに取り付けられている。
具体的には、図２および図３に示すように、係合雌部材３０は、ピラー１２１（１２）に接面支持された立体形状にて形成される。この係合雌部材３０に設けられる嵌合凹部３１は、上記した係合雄端部２５が嵌合する部分であり、係合雄端部２５が嵌合して係合状態となるとセパレータバー２０は支持されることとなる。このため、この係合雌部材３０の嵌合凹部３１は、図４に示すように、上記した係合雄端部２５から無駄なく力が伝わるように、係合雄端部２５の外周面２６の外周形状と面接触可能に対応した凹状にて形成される。つまり、嵌合凹部３１は、軸方向端部２５１の形状に面接触可能に対応した形状と、前側端部２５２の形状に面接触可能に対応した形状と、後側端部２５３の形状に面接触可能に対応した形状とを有して形成される。
この係合雌部材３０の嵌合凹部３１は、図３に示すように、係合雄端部２５の嵌合方向に嵌合用開口部３３が形成され、嵌合した係合雄端部２５から湾曲部２３２を延在させることができるように延在用開口部３４が形成される。この嵌合用開口部３３は、上方に形成される挿し込み部３３１と、この挿し込み部３３１の下方に形成される嵌合部３３２とを備える。挿し込み部３３１は、セパレータバー２０の係合雄端部２５を図示矢印方向に向かって挿し込む部分である。嵌合部３３２は、この挿し込み部３３１に挿し込まれた係合雄端部２５を図示矢印方向に向かって押し下げて互いを嵌合した状態とする部分である。つまり、嵌合用開口部３３に対する係合雄端部２５の挿し込みは、挿し込み部３３１のみからしか挿し込むことができないようになっている。このため、セパレータバー２０の係合雄端部２５を、係合雌部材３０の嵌合凹部３１に嵌合させるにあたって、嵌合用開口部３３への挿し込みが２段階かつ２方向に分けられたものとなる。これによって、係合雌部材３０に対するセパレータバー２０の嵌合は、挿し込み方向で外れ難いものとすることができる。
また、延在用開口部３４は、湾曲部２３２の外径の大きさに合わせて形成されるものであるため、上記した係合雄端部２５を嵌合凹部３１に対して引っ掛かるように嵌合させることができ、この係合雄端部２５の嵌合凹部３１（係合雌部材３０）に対する抜け止めを規制することができるようになる。なお、図示するように、この嵌合凹部３１の凹状内周面にあっては、延在用開口部３４に向く部分も曲面形状にて形成されており、係合雄端部２５は延在用開口部３４に向く嵌合凹部３１に対しても曲面同士で面接触するようになっている。
ところで上記した嵌合凹部３１のうち、係合雄端部２５の軸方向端部２５１が当接する部分は、この嵌合凹部３１のうち延在用開口部３４の配設位置とは対向する位置であるので、嵌合凹部３１の内底部３１１として形成される部分となっている。このため、この嵌合凹部３１の内底部３１１は、適宜の厚みを有して形成することができるようになっており、係合雌部材３０に対して係合雄端部２５から伝えられた力を受けるにあたり余裕の強度を有するものとなっている。なお、この内底部３１１を含む係合雌部材３０は、上記したピラー１２１に接面支持されているので、この係合雄端部２５から伝えられた力をピラー１２１に逃がすことができるものとなっている。
【００１８】
上記した第１の実施の形態のように構成されたセパレータバー２０の取付構造によれば、次のような作用効果を奏することができる。
すなわち、上記したセパレータバー２０の取付構造によれば、セパレータ本体２１が後方の荷物室１１２から前方の乗員室１１１に向けて受ける荷重Ｆ１は、セパレータ本体２１から係合雄端部２５に向かうようにセパレータ本体２１の軸方向の力Ｆ２に変換して、この力Ｆ２を係合雄端部２５から係合雌部材３０に伝えることができる。これによって、係合雌部材３０は、係合雄端部２５からセパレータ本体２１の軸方向に沿って伝わってきた力の多くを、この軸方向延長上に存する内底部３１１にて受けることとなる。この際、この係合雌部材３０の内底部３１１は、底部分を形成するゆえに適宜の厚みを有して形成されており、係合雌部材３０のうち十分に強度の高い部分となっているので、係合雄端部２５から伝わってきた力を受けるに際して最も有利な部分で力を受けることとなる。もって、セパレータバー２０の耐荷重性能を強化することができる。
また、上記したセパレータバー２０の取付構造によれば、セパレータ本体２１の曲げ構造は、車両幅方向（車両左右方向）に沿って延びるセパレート部材２２に対して車両前方向に向かって鈍角傾斜方向に曲がることにより形成されているので、後方の荷物室１１２に積載された荷物等によって後方の荷物室１１２から前方の乗員室１１１に向けて受けるセパレータ本体２１に対する荷重Ｆ１は、この鈍角傾斜方向となるセパレータ本体２１の軸方向の力Ｆ２に変換されることとなる。さらに、係合雌部材３０は鈍角傾斜方向で係合雄端部２５を受けるように係合するので、この変換されたセパレータ本体２１の軸方向の力Ｆ２は、この鈍角傾斜方向となるセパレータ本体２１の軸方向で係合雄端部２５から係合雌部材３０に力を伝えることができる。これによって、係合雌部材３０は、係合雄端部２５から伝わってきた力を効率良く受けることができ、この伝わってきた力を上記した内底部３１１を介してピラー１２１（１２）に逃がし易くする。もって、セパレータバー２０の取付部分の耐荷重性能を強化することができる。
また、上記したセパレータバー２０の取付構造によれば、係合雄端部２５と係合雄端部２５と係合する係合雌部材３０とは、互いに曲面同士で面接触する嵌合構造によって構成されているので、上記したように係合雄端部２５から係合雌部材３０に力が伝わるに際して、これら係合雄端部２５と係合雌部材３０との間で互いが接触する面積を拡大することができ、係合雄端部２５からの力を分散して伝えることができる。また、この際の面接触は曲面による面接触となっているので、係合雄端部２５からの力を曲面法線方向へと複数方向に分散して伝えることができる。これによって、係合雄端部２５から伝わってきた力をセパレータバー２０の取付部分で分散して受けることができ、セパレータバー２０の取付部分の耐荷重性能を強化することができる。
【００１９】
［第２の実施の形態］
次に、上記した第１の実施の形態のセパレータバー２０の取付構造とは異なる第２の実施の形態のセパレータバー４０の取付構造について説明する。
図５は、第２の実施の形態のセパレータバーの取付構造についての上面視図である。図６は、図５のセパレータバー４０の取付構造についての斜視図である。なお、この第２の実施の形態のセパレータバー４０の取付構造を説明するにあたって、上記した第１の実施の形態と同一に構成される部分については同一の符号を付し説明を省略する。また、上記した第１の実施の形態と同様な機能を有する部分については、上記した第１の実施の形態と同一の用語を用いて以下において説明する。
セパレータバー４０は、図５および図６に示すように、金属製のセパレータ第１部材４２と、樹脂製の係合第２部材４３との２つの部材を備えて構成される。このセパレート第１部材４２は、次に説明する係合第２部材４３を挿し込み可能とする金属製筒にて形成される。このセパレータ第１部材４２には、本発明に係るセパレート部に相当するセパレート部４２１と、このセパレート部４２１に対して車両左方向に位置する折曲部４２２と、この折曲部４２２から車両前方向に延びる挿し込み部４２３とを備える。このセパレータ第１部材４２は、折曲部４２２が設けられることにより、セパレート部４２１を車両幅方向（車両左右方向）に延在させ、挿し込み部４２３を車両前方向に延在させるように形成される。なお、セパレータ第１部材４２は金属製筒が単に折り曲げられて形成されるだけなので、セパレート部４２１と挿し込み部４２３との外径の長さは、同一の長さとなっている。なお、この挿し込み部４２３は、後に説明する係合雌部材５０と略同様に構成される嵌合用ブラケット６０の嵌合凹部６１に挿し込まれる部分である。
このセパレータ第１部材４２の車両右方向端には、開口された開口部４２４が設けられいる。この開口部４２４には、次に説明する係合第２部材４３の挿し込み部４３１を嵌め挿しすることができるようになっている。なお、このセパレータ第１部材４２のセパレート部４２１と、係合第２部材４３の挿し込み部４３１および湾曲部４３２とがセパレータ本体４１に相当するものとなっている。このセパレータ本体４１は、上記したように、略棒状に構成され、設置された際の車両幅方向（車両左右方向）の長さを適宜調節することができるようになっている。具体的には、セパレータ本体４１は、セパレータ第１部材４２のセパレート部４２１と、係合第２部材４３の挿し込み部４３１とが相対的に移動することにより長さが伸縮する伸縮構造を有する。
係合第２部材４３は、挿し込み部４３１が上記したようにセパレータ第１部材４２の開口部４２４に挿し込まれる部材である。この係合第２部材４３は、この挿し込み部４３１から適宜に曲げられて係合雄端部４５が設けられる中実構造を有するプラスチック樹脂成形品にて構成されている。この係合第２部材４３は、セパレータ第１部材４２の開口部４２４に挿し込まれる側から順に、挿し込み部４３１、湾曲部４３２、係合雄端部４５を具備して構成される。なお、この係合第２部材４３のうち、挿し込み部４３１と、湾曲部４３２とは、上記したセパレータ第１部材４２のセパレート部４２１とともに、セパレータ本体４１を構成する部分となっている。
挿し込み部４３１は、上記したようにセパレータ第１部材４２の開口部４２４に挿し込まれる部分である。このため、挿し込み部４３１の外径は、上記したセパレータ第１部材４２の開口部４２４の内径に比して小さいものとなっており、上記したセパレート部４２１の真っ直ぐな筒形状に対応して真っ直ぐとなる中実構造にて形成される。図示するように、挿し込み部４３１は、殆どの部分がセパレート部４２１の開口部４２４の内部に挿し込まれた状態となっている。このため、このセパレート部４２１の開口部４２４に対する挿し込み部４３１の挿し込み量が変わることにより、セパレータ本体４１（セパレータバー４０）自体の長さは変わるものとなっている。
湾曲部４３２は、本発明に係るセパレータ本体の曲げ構造に相当する部分である。この湾曲部４３２は、この係合第２部材４３のうち次に説明する係合雄端部４５の近くに形成される。この湾曲部４３２は、図５等に示すように、セパレータ本体４１の中間部となる車両幅方向（車両左右方向）に沿って延びるセパレート部４２１に対して車両前方向に曲がることにより形成されている。つまり、セパレータ本体４１の軸方向は、セパレート部４２１においては車両幅方向（車両左右方向）となっており、この湾曲部４３２から延びる部分については車両前方向に向くようになっている。これによって、後にも説明するが、セパレート部４２１が後方の荷物室１１２から前方の乗員室１１１に向かうように荷重を受けた場合には、この湾曲部４３２によって車両前方向となるセパレータ本体４１の軸方向に力を変換することができる。なお、後に詳述するが、このように変換されたセパレータ本体４１の軸方向の力は、係合雄端部４５から係合雌部材５０に力を伝えることとなっている。
【００２０】
次に、係合第２部材４３の端部として形成される係合雄端部４５について説明する。なお、図５は、セパレータバー４０の係合雄端部４５が後に説明する係合雌部材５０に嵌め込むことにより係合している状態を示している。これに対して図６は、セパレータバー４０の係合雄端部４５が係合雌部材５０に嵌め込む前の状態を示している。つまり、セパレータバー４０の係合雄端部４５を図６に示す矢印方向に動かした場合には、この係合雄端部４５は係合雌部材５０に嵌め込んで係合した状態となり、図５に示すような上面視状態となる。
この係合雄端部４５の形状としては、図５等に示すように、上記したセパレータ第１部材４２の挿し込み部４２３と同一の外径となるように、上記した係合第２部材４３の挿し込み部４３１や湾曲部４３２の外径に比して膨張した外径を有した柱状にて形成されている。つまり、柱状の係合雄端部４５は、柱状の係合雄端部４５の外面として、軸方向端部４５１と周面部４５２とを備える。なお、この軸方向端部４５１と周面部４５２とは、係合雄端部４５を後に説明する係合雌部材５０に設けられる嵌合凹部５１に嵌合させた場合に、この嵌合凹部５１の内周面と面接触する。
より詳しく説明すると、係合雄端部４５の軸方向端部４５１は、車両前方向と直交する直交面として形成されるものである。この係合雄端部４５の軸方向端部４５１は、嵌合凹部５１の内周面と面接触し、上記したように変換されたセパレータ本体４１の軸方向の力Ｆ３を係合雌部材３０に伝える。
係合雄端部４５の周面部４５２は、嵌合凹部５１の内周面と面接触し、セパレータ本体２１の車両上下方向の移動を規制する。また、この係合雄端部４５の周面部４５２には、嵌合凹部５１に嵌合させた係合雄端部４５の位置を保持するための、後に説明する係合ピン５２のピン部５２２を嵌合する係合孔４５３が設けられている。この係合孔４５３は、係合ピン５２のピン部５２２が嵌合することにより、係合雄端部４５の嵌合凹部５１に対する嵌合を保持し、この係合雄端部４５の嵌合凹部５１（係合雌部材５０）に対する抜け止めを規制することができ、もって係合雄端部４５を係合雌部材５０に係合させた状態とする。
【００２１】
次に、上記したセパレータバー４０の係合雄端部４５が嵌め合わされることにより係合しセパレータバー４０を支持する係合雌部材５０について説明する。
図５に示すように、車室１１内のピラー１２１，１２１（左右側壁）のそれぞれには、セパレータバー４０を橋架するために、係合雌部材５０がピラー１２１（１２）に支持された状態で配設されている。この係合雌部材５０は、プラスチック樹脂成形品にて構成される所謂ブラケット部材であり、上記したセパレータバー４０の係合雄端部４５が嵌合する嵌合凹部５１が設けられるものである。このため、この係合雌部材５０は、不図示の螺子部材を介して車室１１内のピラー１２１のそれぞれに取り付けられている。
具体的には、図５および図６に示すように、係合雌部材５０は、取付部５０１，５０１に螺子５０２，５０２で螺子止めすることによってピラー１２１に接面支持された立体形状にて形成される。なお、図５に示すように、車室１１内の係合雌部材５０の配設位置と対向する車室１１内のピラー１２１には、上記したセパレータ第１部材４２（セパレータバー４０）の挿し込み部４２３が挿し込まれる嵌合用ブラケット６０が配設されている。この嵌合用ブラケット６０は、係合雌部材５０と同様、不図示の螺子止めを施すことによってピラー１２１に接面支持されるものであり、挿し込み部４２３が挿し込まれる嵌合凹部６１が設けられている。このため、嵌合用ブラケット６０の嵌合凹部６１に挿し込み部４２３が挿し込まれ、係合雌部材５０の嵌合凹部５１に係合雄端部４５が嵌合して係合状態となると、セパレータバー４０は支持されることとなる。
このため、この係合雌部材５０の嵌合凹部５１は、図５に示すように、上記した係合雄端部４５から無駄なく力が伝わるように、係合雄端部２５の外周形状と合致する凹状を有して形成される。この係合雌部材５０の嵌合凹部５１は、図５および図６に示すように、係合雄端部４５の嵌合方向に嵌合用開口部５１１が形成される。なお、この嵌合用開口部５１１を含む嵌合凹部５１は、後に説明するセパレータ第１部材４２の挿し込み部４２３が嵌合される嵌合用ブラケット６０の嵌合凹部６１と同様に構成される。
一方、この係合雌部材５０には、上記した係合雄端部４５の周面部４５２に設けられる係合孔４５３に嵌合する係合ピン５２が配設されている。この係合ピン５２は、係合雌部材５０に設けられた螺子孔５３に螺子止めされることにより配設されるものである。この係合ピン５２は、螺子孔５３に形成された雌螺子部５３１と螺合する雄螺子部５２１が形成されるとともに、係合孔４５３に嵌合するように突出するピン部５２２が形成されている。このように螺子孔５３に螺子止めされた係合ピン５２は、ピン部５２２を係合孔４５３に嵌合させて、上記した嵌合凹部５１に嵌合した係合雄端部４５を係合状態とする。
他方、上記した嵌合凹部５１のうち、係合雄端部４５の軸方向端部４５１が当接する部分は、この嵌合凹部５１のうち嵌合用開口部５１１がの配設位置とは対向する位置であるので、嵌合凹部５１の内底部５１２として形成される部分となっている。このため、この嵌合凹部５１の内底部５１２は、適宜の厚みを有して形成することができるようになっており、係合雌部材５０に対して係合雄端部４５から伝えられた力を受けるにあたり余裕の強度を有するものとなっている。なお、この内底部５１２を含む係合雌部材５０は、螺子止めすることによってピラー１２１に接面支持されているので、この係合雄端部４５から伝えられた力をピラー１２１に逃がすことができるものとなっている。
【００２２】
上記した第２の実施の形態のように構成されたセパレータバー４０の取付構造によれば、次のような作用効果を奏することができる。
すなわち、上記したセパレータバー４０の取付構造によれば、セパレータ本体４１が後方の荷物室１１２から前方の乗員室１１１に向けて受ける荷重Ｆ１は、セパレータ本体４１から係合雄端部４５に向かうようにセパレータ本体４１の軸方向の力Ｆ３に変換して、この力Ｆ３を係合雄端部４５から係合雌部材５０に伝えることができる。これによって、係合雌部材５０は、係合雄端部４５からセパレータ本体４１の軸方向に沿って伝わってきた力の多くを、この軸方向延長上に存する内底部５１２にて受けることとなる。この際、この係合雌部材５０の内底部５１２は、底部分を形成するゆえに適宜の厚みを有して形成されており、係合雌部材５０のうち十分に強度の高い部分となっているので、係合雄端部４５から伝わってきた力を受けるに際して最も有利な部分で力を受けることとなる。もって、セパレータバー４０の耐荷重性能を強化することができる。
また、上記したセパレータバー４０の取付構造によれば、セパレータ本体４１の曲げ構造は、車両幅方向（車両左右方向）に沿って延びるセパレート部４２１に対して車両前方向に曲がることにより形成されているので、後方の荷物室１１２に積載された荷物等によって後方の荷物室１１２から前方の乗員室１１１に向けて受けるセパレータ本体２１に対する荷重Ｆ１は、この荷重Ｆ１のかかる方向と同方向となるセパレータ本体２１の軸方向の力に効率良く変換することができる。これによって、係合雌部材５０は、係合雄端部４５から伝わってきた力を効率良く受けることができ、この伝わってきた力を上記した内底部５１２を介してピラー１２１に逃がし易くする。もって、セパレータバー４０の取付部分の耐荷重性能を強化することができる。
【００２３】
なお、本発明に係るセパレータ部材の取付構造にあっては、上記した実施の形態に限定されるものではなく、次のように適宜個所を変更して構成するようにしてもよい。
例えば、上記した実施の形態にあっては、セパレータ部材としてパイプ状に形成されるセパレータバーを例に挙げて説明するものであった。しかしながら、本発明に係るセパレータ部材としては、この例に限定されることなく、適宜に構成されるものであってよい。
また、係合雌部材３０，５０、係合雄端部２５，４５を具備する湾曲部材２３や係合第２部材４３にあっては、プラスチック樹脂の成形品で構成されるものであった。しかしながら、本発明に係る係合雌部材および係合雄端部を具備する部材としては、この例に限定されることなく、適宜の材料を選択するものであってよい。ただ、適宜の樹脂成形品であれば、両者を滑らかに嵌合できる点で有利であるといえる。
【符号の説明】
【００２４】
１０  自動車
１１  車室
１１１  乗員室
１１２  荷物室
１２１（１２）  ピラー（Ｂピラー）
１２２（１２）  ピラー（Ｃピラー）
１３１  前席（固定座席）
１３２  後席（折畳み座席）
２０  セパレータバー
２１  セパレータ本体
２２  セパレート部材（セパレート部）
２２１  開口部
２３  湾曲部材
２３１  挿し込み部
２３２  湾曲部
２５  係合雄端部
２５１  軸方向端部
２５２  前側端部
２５３  後側端部
２６  外周面
３０  係合雌部材
３１  嵌合凹部
３３  嵌合用開口部
３３１  挿し込み部
３３２  嵌合部
３４  延在用開口部
４０  セパレータバー
４１  セパレータ本体
４２  セパレータ第１部材
４２１  セパレート部
４２２  折曲部
４２３  挿し込み部
４２４  開口部
４３  係合第２部材
４３１  挿し込み部
４３２  湾曲部
４５  係合雄端部
４５１  軸方向端部
４５２  周面部
４５３  係合孔
５０  係合雌部材
５０１  取付部
５０２  螺子
５１  嵌合凹部
５１１  嵌合用開口部
５１２  内底部
５２  係合ピン
５２１  雄螺子部
５２２  ピン部
５３  螺子孔
５３１  雌螺子部
６０  嵌合用ブラケット
６１  嵌合凹部
Ｆ１  荷重
【図１】
0005515081.tif 000002
【図２】
0005515081.tif 000003
【図３】
0005515081.tif 000004
【図４】
0005515081.tif 000005
【図５】
0005515081.tif 000006
【図６】
0005515081.tif 000007